(57)【要約】【課題】契約形態に応じて契約の切り替えを検討する期間を十分に確保することが可能な画像形成装置を提供する。【解決手段】契約形態判断日であるかどうかを判断する（ステップＳ４０）。ステップＳ４０において、契約形態判断日であると判断した場合には、次に、枚数カウンタおよび濃度カウンタを確認する（ステップＳ４２）。枚数カウンタが所定値以上であるかどうかを判断する（ステップＳ４４）。枚数カウンタが所定値以上であると判断した場合（ステップＳ４４においてＹＥＳ）には、トナーニアエンプティを表示する際のしきい値を変更する（ステップＳ４８）。そして、キット契約から変更してチャージ契約を勧める旨の表示をする（ステップＳ５０）。そして、処理を終了する（エンド）。【選択図】図９
2012088552.tif 000002
【特許請求の範囲】
【請求項１】
印刷枚数に応じた課金によりトナーの供給を受けて装置を使用することが可能な第１の契約と、印刷枚数とは無関係にトナーカートリッジを購入することにより装置を使用することが可能な第２の契約とのいずれかを設定する契約設定手段と、
印刷枚数をカウントする印刷枚数計測手段と、
装置内に残存しているトナー量が所定の閾値以上であるか否かを判定する判定手段と、
前記判定手段による判定結果に基づいて前記装置のトナー量が所定の閾値未満であると判断した場合には、前記トナーカートリッジの交換を促す警告を表示する警告表示手段と、
前記契約設定手段により設定された契約の適否を判断する契約適否判断手段とを備え、
前記契約適否判断手段は、前記契約設定手段により前記第２の契約が設定されている場合に、前記印刷枚数計測手段によりカウントされた印刷枚数が所定枚数以上であると判断された場合には、前記第１の契約が適すると判断するとともに、前記判定手段で判定する前記所定の閾値の値を変更する、画像形成装置。
【請求項２】
前記契約適否判断手段は、前記契約設定手段により前記第１の契約が設定されている場合に、前記印刷枚数計測手段によりカウンタされた印刷枚数が所定枚数未満であると判断された場合には、前記第２の契約が適すると判断する、請求項１記載の画像形成装置。
【請求項３】
情報を表示する表示手段をさらに備え、
前記契約適否判断手段は、判断結果に基づいて前記表示手段に前記第１の契約あるいは前記第２の契約の一方が適している旨を表示する、請求項１または２記載の画像形成装置。
【請求項４】
前記契約適否判断手段は、所定期間経過毎に前記契約設定手段により設定された契約の適否を判断する、請求項１〜３のいずれかに記載の画像形成装置。
【発明の詳細な説明】
【技術分野】
【０００１】
本発明は、画像形成装置に関して、契約形態の切り替えに関するものである。
【背景技術】
【０００２】
トナー、インク等の消耗品（消耗剤、消費材）を必要とする複写機、プリンタ等の画像形成装置の使用において、画像形成装置の継続的使用のためには消耗品の補充等のメンテナンスが必要である。
【０００３】
従来、当該メンテナンスを容易に行なうためにトナー、インク等をトナーカートリッジ（消耗物品）に充填し、当該カートリッジの交換により消耗品の補充を実質的に行なうことがなされている。そして、トナーの消費量を判断し、カートリッジ等の交換について、交換の発注時期等を判断する方式等が種々開示されている（特許文献１〜３）。
【０００４】
一般的に画像形成装置の印刷に対する課金方式として、２種類の契約形態があり、キット契約とチャージ契約とがある。
【０００５】
キット契約は、ユーザがトナーカートリッジ等の消耗物品を購入することにより印刷枚数に限られず装置の使用が可能となる契約形態である。
【０００６】
一方、チャージ契約は、例えば毎月等の所定期間に印刷した印刷枚数に応じて課金する契約形態であり、当該契約においてはトナーカートリッジは購入する必要がなく必要に合わせて常にトナーが補給されることになる。いずれの契約が好ましいかは、装置の使用状況に左右されるものであり、ある判断時期に判断される。
【先行技術文献】
【特許文献】
【０００７】
【特許文献１】特開２００２−１２７５７２号公報
【特許文献２】特開２００２−２９７９６９号公報
【特許文献３】特開２００４−２４０１３４号公報
【発明の概要】
【発明が解決しようとする課題】
【０００８】
しかしながら、契約形態の切り替えには十分な検討期間が必要であり、検討期間が短い場合には適切な契約形態で無いにもかかわらず現在の契約形態を維持する場合も考えられる。
【０００９】
本発明は、上記のような問題を解決するためになされたものであって、契約形態に応じて契約の切り替えを検討する期間を十分に確保することが可能な画像形成装置を提供することを目的とする。
【課題を解決するための手段】
【００１０】
本発明のある局面に従う画像形成装置は、印刷枚数に応じた課金によりトナーの供給を受けて装置を使用することが可能な第１の契約と、印刷枚数とは無関係にトナーカートリッジを購入することにより装置を使用することが可能な第２の契約とのいずれかを設定する契約設定手段と、印刷枚数をカウントする印刷枚数計測手段と、装置内に残存しているトナー量が所定のしきい値以上であるか否かを判定する判定手段と、判定手段による判定結果に基づいて装置のトナー量が所定のしきい値未満であると判断した場合には、トナーカートリッジの交換を促す警告を表示する警告表示手段と、契約設定手段により設定された契約の適否を判断する契約適否判断手段とを備える。契約適否判断手段は、契約設定手段により第２の契約が設定されている場合に、印刷枚数計測手段によりカウントされた印刷枚数が所定枚数以上であると判断された場合には、第１の契約が適すると判断するとともに、判定手段で判定する所定のしきい値の値を変更する。
【００１１】
好ましくは、契約適否判断手段は、契約設定手段により第１の契約が設定されている場合に、印刷枚数計測手段によりカウンタされた印刷枚数が所定枚数未満であると判断された場合には、第２の契約が適すると判断する。
【００１２】
好ましくは、情報を表示する表示手段をさらに備え、契約適否判断手段は、判断結果に基づいて表示手段に第１の契約あるいは第２の契約の一方が適している旨を表示する。
【００１３】
好ましくは、契約適否判断手段は、所定期間経過毎に契約設定手段により設定された契約の適否を判断する。
【発明の効果】
【００１４】
本発明のある局面に従う画像形成装置において、装置のトナー量が所定のしきい値未満であると判断した場合には、トナーカートリッジの交換を促す警告を表示する警告表示手段を設け、契約適否判断手段は、契約設定手段により第２の契約が設定されている場合に、印刷枚数計測手段によりカウントされた印刷枚数が所定枚数以上であると判断された場合には、第１の契約が適すると判断するとともに、判定手段で判定する所定のしきい値の値を変更する。したがって、所定のしきい値を変更することにより、警告表示手段において警告を表示するタイミングが早くなる。したがって、第２の契約から第１の契約の切り替えを検討する期間を十分に確保することが可能である。
【図面の簡単な説明】
【００１５】
【図１】本発明の実施の形態に従う画像形成装置の構成を説明する図である。
【図２】本発明の実施の形態に従う現像部の構成を説明する図である。
【図３】本発明の実施の形態に従う画像形成装置１の機能ブロック図である。
【図４】本発明の実施の形態に従う画像形成装置１の操作部３１６に含まれる操作パネル１０１について説明する図である。
【図５】本発明の実施の形態に従う契約形態等の入力を設定するフロー図である。
【図６】本発明の実施の形態に従うトナー消費量の警告表示を実行するフロー図である。
【図７】本発明の実施の形態に従う表示部１０２に表示される警告表示等の表示内容を説明する図である。
【図８】本発明の実施の形態に従うチャージ契約の判断フローについて説明する図である。
【図９】本発明の実施の形態に従うキット契約の判断フローについて説明する図である。
【発明を実施するための形態】
【００１６】
以下、図面を参照しつつ本発明の実施の形態について説明する。以下の説明において同一の部品および構成要素には同一の符号を付してある。それらの名称および機能も同一であるものとする。
【００１７】
図１は、本発明の実施の形態に従う画像形成装置の構成を説明する図である。
図１を参照して、画像形成装置１は、例えばＭＦＰ（Multi Function Peripheral）を例に挙げることが可能であり、複数の稼動部で構成される。本例においては、画像形成に係る部品が示されており、カラー画像を形成することが可能である。給紙カセット２００，２０２には、それぞれサイズの異なる記録用紙が収納される。例えば、Ａ４サイズ、Ａ５サイズ等があげられる。なお、同じサイズであっても良い。
【００１８】
例えば、給紙カセット２００から給紙する場合について説明する。給紙カセット２００には、ピックアップローラ群２１２が設けられ、給紙カセット２００に収納された記録用紙を画像形成のために搬送する。ここで、給紙センサ２１０が設けられ、当該給紙センサ２１０で記録用紙を検知して搬送のタイミング等が制御される。
【００１９】
そして、給紙カセット２００から搬送された記録用紙は、搬送ローラ６０を介して転写部に搬送される。その際、転写前センサ６１により記録用紙が検知されて、搬送のタイミング等が制御される。また、本例においては、外部から手差しで手差し記録用紙を挿入することが可能であり、手差しローラ６２により手差し記録用紙が装置内に搬入される。そして、搬送ローラ６０を介して転写部に搬送される。
【００２０】
また、本例において、画像形成装置１には、記録用紙の両面に画像を形成するための搬送経路ユニット２２０が設けられている。搬送経路ユニット２２０には、複数の搬送ローラおよびセンサが設けられており、当該部品を介して、例えば、記録用紙の表面に画像を形成した後、記録用紙の裏面に画像を形成するために当該搬送経路ユニット２２０を介して再び、搬送ローラ６０に記録用紙が搬送される。
【００２１】
次に、画像形成部について説明する。本例においては、タンデム型のカラー複写機が示されており、イエロー、マゼンタ、シアン、ブラックのそれぞれの色を用いてカラープリントが可能である。具体的には、各色に対応して、現像部３０，３２，３４，３６が設けられている。現像部３０で形成されたイエローの画像は、中間転写ベルト１２に転写される。なお、中間転写ベルト１２は、ローラ１０，１４に懸架されており当該ローラが回転することにより中間転写ベルト１２が移動して、中間転写ベルト１２とともに現像部で転写された画像が移動する。同様に、現像部３２で形成されたマゼンタの画像は、中間転写ベルト１２に転写される。現像部３４で形成されたシアンの画像は、中間転写ベルト１２に転写される。また、同様に、現像部３６で形成されたブラックの画像は、中間転写ベルト１２に転写される。これら各色の現像部で形成された画像をそれぞれ中間転写ベルト１２を移動させて重ね合わせることにより中間転写ベルト１２にカラー画像が形成される。そして、中間転写ベルト１２上に形成されたカラー画像は、転写部に移動する。そして、転写位置において、記録用紙を間に挟んで中間転写ベルト１２に転写ローラ２４を圧接して、記録用紙にカラー画像を転写する。
【００２２】
また、中間転写ベルト１２上に形成された画像の濃度を検知するためのトナー濃度検出センサ３８が設けられており、当該トナー濃度検出センサ３８の検知結果に基づいて画像の濃度が調整される。
【００２３】
そして、記録用紙に転写されたカラー画像は定着部４０に搬送される。定着部４０に搬送される前には、定着前センサ６３が設けられ、当該定着前センサ６３で記録用紙を検知して定着部４０に搬送されるタイミング等が制御される。そして、定着部４０における定着後、定着後センサ６４により排出のタイミング等が制御される。画像形成装置１の排出側には排出ローラ６５が設けられ、定着部４０における定着後の記録用紙が外部に排出される。また、排出ローラ６５は、搬送経路ユニット２２０に搬送するローラとしても機能する。具体的には、両面に画像を形成する場合には、排出ローラ６５に搬送された記録用紙は、今度は、搬送経路ユニット２２０に搬送される。
【００２４】
また、画像形成装置１には、一例として載置された原稿を読み取って画像データを取得するスキャナ部３１４も設けられている。当該画像データが画像形成部に出力されて記録用紙に画像が形成されることになる。
【００２５】
また、画像形成装置１には、操作部３１６も設けられており、当該操作部３１６で各種設定動作等の指示が可能である。
【００２６】
図２は、本発明の実施の形態に従う現像部の構成を説明する図である。
図２を参照して、ここでは、一例として現像部３０の構成が示されている。なお、他の現像部についても同様の構成であるのでその詳細な説明は繰り返さない。
【００２７】
具体的には、現像部３０は、感光体２と、クリーニング装置４と、露光装置６と、トナー供給部８と、トナーカートリッジ５と、サブホッパ部７とを含む。
【００２８】
トナーカートリッジ５は、消耗品として交換可能な部品であり、各色に対して設けられる。トナーカートリッジ５を所定位置に装着することにより当該トナーカートリッジ５に充填されたトナーがサブホッパ部７に移動する。
【００２９】
そして、サブホッパ部７からトナー供給部８にトナーが搬送される。
一方で、感光体２に対して露光装置６により静電潜像が作成され、トナー供給部８からトナーが供給されることにより感光体２に現像される。そして、感光体２に現像された画像は、中間転写ベルト１２に転写される。以降の処理については上述したのと同様である。なお、転写後の残留トナーについてはクリーニング装置４で除去されることになる。
【００３０】
図３は、本発明の実施の形態に従う画像形成装置１の機能ブロック図である。
図３を参照して、ここでは、一例として、画像形成装置１の全体を制御する全体コントローラ３００と、操作部３１６と、原稿を読み取って画像データを取得するスキャナ部３１４と、画像データに対する各種画像処理を実行する画像処理部３１２と、定着部４０と、エンジンコントローラ３０２と、モータ駆動回路３０４と、カートリッジモータ３０６と、サブホッパ部７と、トナーエンプティセンサ３０８と、トナー濃度検出センサ３８とが設けられている場合が示されている。
【００３１】
エンジンコントローラ３０２と、モータ駆動回路３０４と、カートリッジモータ３０６と、サブホッパ部７と、トナーエンプティセンサ３０８と、トナー濃度検出センサ３８は、主に画像形成部に設けられるものである。
【００３２】
エンジンコントローラ３０２は、画像形成部の駆動等を制御するためのコントローラである。
【００３３】
モータ駆動回路３０４は、エンジンコントローラ３０２からの指示に従ってカートリッジモータ３０６を駆動する。当該カートリッジモータ３０６の駆動によりトナーカートリッジ５に充填されたトナーが攪拌されて、サブホッパ部７に移動する。
【００３４】
サブホッパ部７には、トナーエンプティセンサ３０８が設けられており、サブホッパ部７に供給されているトナー量を検知して、トナー量が減少してきた場合には検知信号をエンジンコントローラ３０２に出力する。
【００３５】
トナー濃度検出センサ３８は、記録用紙に転写されるトナー画像のトナー濃度を検出する装置であり、一例としてＴＣＲ磁気センサを挙げることができる。当該トナー濃度検出センサ３８の検出結果がエンジンコントローラ３０２に出力される。エンジンコントローラ３０２は、トナー濃度検出センサ３８からの検出結果に基づいて現像部３０等に対してトナー濃度の調整を指示する。
【００３６】
また、濃度カウンタ３２０および枚数カウンタ３２２が設けられており、印刷処理に従ってカウンタの値が更新されるものとする。
【００３７】
濃度カウンタ３２０は、原稿１枚当たりの濃度を０（薄い）〜１００（濃い）の数値で取得し、印字処理毎にその数値をカウントアップする。これによりトナー使用量を擬似的にカウントすることになる。
【００３８】
枚数カウンタ３２２は、給紙毎に１を加算する。すなわち、印刷枚数をカウントアップする。これらのカウンタの値は全体コントローラ３００からの指示によりリセットされるものとする。
【００３９】
図４は、本発明の実施の形態に従う画像形成装置１の操作部３１６に含まれる操作パネル１０１について説明する図である。
【００４０】
図４を参照して、操作パネル１０１は、表示部１０２と、各種モード設定ボタン１０４と、１０キー１０６と、スタートボタン１０８とを含む。
【００４１】
表示部１０２上にはタッチパネルが設けられており、表示部１０２上において所定の操作が可能である。
【００４２】
１０キー１０６は、コピー等の枚数を入力するためのボタンである。スタートボタン１０８は、コピー等の処理の実行を指示するボタンである。
【００４３】
また、表示部１０２には、各種モードの表示やその他の表示が行われる。
各種モード設定ボタン１０４は、ＦＡＸ機能等に切り替えるためのボタンである。また、当該ボタンを押下して操作することにより契約形態の入力画面が表示部１０２に表示されるものとする。
【００４４】
図５は、本発明の実施の形態に従う契約形態等の入力を設定するフロー図である。
図５を参照して、まず、管理者あるいはサービスマン等は、契約形態、契約形態判断期間を入力する（ステップＳ２）。具体的には、操作パネル１０１に設けられた各種モード設定ボタン１０４を操作することにより図示しない入力画面が表示部１０２に表示されるものとする。そして、当該入力画面において、キット契約あるいはチャージ契約のいずれかを入力するとともに、契約形態を判断する期間として適切な期間を設定する。例えば３０日等を入力するものとする。契約形態判断期間を入力することにより当該期間経過後に契約形態の適否の判断がなされる。
【００４５】
次に、入力が完了したかどうかを判断する（ステップＳ４）。例えば、各種モード設定ボタン１０４を再度操作することにより入力が完了したものと判断されるものとする。
【００４６】
次に濃度カウンタ、枚数カウンタをリセットする（ステップＳ６）。具体的には、契約形態の設定時にそれぞれのカウンタ値を０に設定するものとする。そして、処理を終了する（エンド）。
【００４７】
そして、カウンタ値に基づいて、いずれの契約形態（キット契約あるいはチャージ契約）が適切か否かを契約形態の判断期間が経過した際に判断する。なお、本例においては、後述するが契約形態の適否の判断は、一例として全体コントローラ３００が実行するものとする。
【００４８】
図６は、本発明の実施の形態に従うトナー消費量の警告表示を実行するフロー図である。当該処理は、主に全体コントローラ３００が実行するものとする。
【００４９】
図６を参照して、まず、トナー量を推定する（ステップＳ１０）。具体的には、全体コントローラ３００は、エンジンコントローラ３０２からのカートリッジモータ３０６の回転量を積算したデータを取得して、トナーカートリッジ５からサブホッパ部７へ供給されたトナー量を推定する。
【００５０】
次に、全体コントローラ３００は、上記推定に基づき算出されたトナー量に従って、トナー量は所定量以下かどうかを判断する（ステップＳ１２）。
【００５１】
そして、ステップＳ１２において、全体コントローラ３００は、トナー量が所定量以下（しきい値以下）であると判断した場合（ステップＳ１２においてＹＥＳ）には、トナーニアエンプティを警告表示する（ステップＳ１４）。トナーニアエンプティは、ユーザに間もなくトナーが無くなることを報知し、交換用のトナーカートリッジの準備を促すものである。交換用のトナーカートリッジを用意するために発注してから受け取るまでの間にトナーカートリッジが空にならないように当該期間を考慮して、しきい値が決定されている。
【００５２】
一方、ステップＳ１２において、全体コントローラ３００は、トナー量は所定量以下で無いと判断した場合（ステップＳ１２においてＮＯ）には、再びステップＳ１０に戻り、同様の処理を繰り返す。
【００５３】
次に、全体コントローラ３００は、トナーニアエンプティを警告表示した後、トナーエンプティセンサがエンプティ検出したかどうかを判断する（ステップＳ１６）。具体的には、全体コントローラ３００は、エンジンコントローラ３０２を介してトナーエンプティセンサ３０８からの当該検知信号を受信したかどうかを判断する。
【００５４】
一方、ステップＳ１６において、全体コントローラ３００は、トナーエンプティセンサがエンプティ検出していないと判断した場合（ステップＳ１６においてＮＯ）には、再び、ステップＳ１４に戻る。
【００５５】
ステップＳ１６において、全体コントローラ３００は、トナーエンプティセンサがエンプティ検出したと判断した場合（ステップＳ１６においてＹＥＳ）には、次に、所定回数以上検出したかどうかを判断する（ステップＳ１８）。一例として、例えば１０回以上エンプティ検出したかどうかを判断する。なお、１０回に限られず他の回数に設定することも可能である。
【００５６】
ステップＳ１８において、全体コントローラ３００は、エンプティ検出を所定回数以上検出したと判断した場合（ステップＳ１８においてＹＥＳ）には、トナーエンプティを警告表示する（ステップＳ２０）。一例として、複数回検出した場合にトナーエンプティを警告表示することにより誤判断を防止することが可能である。
【００５７】
一方、ステップＳ１８において、全体コントローラ３００は、エンプティ検出を所定回数以上検出していないと判断した場合（ステップＳ１８においてＮＯ）には、再び、ステップＳ１４に戻る。
【００５８】
次に、全体コントローラ３００は、所定枚数印字したかどうかを判断する（ステップＳ２２）。一例として、１００枚印字したかどうかを判断する。なお、他の枚数とすることも可能である。
【００５９】
ステップＳ２２において、全体コントローラ３００は、所定枚数印字したと判断した場合（ステップＳ２２においてＹＥＳ）には、トナーエンプティの印字禁止を表示する（ステップＳ２４）。
【００６０】
そして、処理を終了する（エンド）。
一方、ステップＳ２２において、全体コントローラ３００は、所定枚数印字していないと判断した場合（ステップＳ２２においてＮＯ）には、再び、ステップＳ２０に戻る。
【００６１】
図７は、本発明の実施の形態に従う表示部１０２に表示される警告表示等の表示内容を説明する図である。
【００６２】
図７を参照して、ここでは、トナー状態、印字許可状態、表示部の内容、意味がそれぞれ示されている。トナー状態が通常すなわち、トナーが十分に存在する場合は、印字許可状態は、許可である。この場合、表示部１０２には何も表示されない。その理由としては、トナーカートリッジおよびサブホッパ部内にトナーが十分充填されている状態だからである。
【００６３】
次に、トナー状態がトナーニアエンプティである場合について説明する。この場合、印字許可状態は許可である。そして、表示部１０２には、１行メッセージにて「まもなくトナーカートリッジの交換時期です」の表示がされる。その理由としては、サブホッパ部内にはトナーが充填されているがトナーカートリッジ内のトナーが少なくなっている状態だからである。
【００６４】
次に、トナー状態がトナーエンプティである場合について説明する。この場合、印字許可状態は許可である。そして、表示部１０２には、１行メッセージにて「トナーがなくなりました。トナーカートリッジを交換してください」の表示がされる。その理由としては、サブホッパ部内にはトナーが充填されているがトナーカートリッジ内のトナーが空の状態だからである。なお、当該場合には、サブホッパ部７内に一例として１００枚程度コピー可能なトナーが残留しているため所定枚数印字するまで印字を許可することとしている。
【００６５】
次に、トナー状態がトナーエンプティの印字禁止である場合について説明する。この場合、印字許可状態は禁止である。そして、表示部１０２には、全画面警告にて「トナーがなくなりました。トナーカートリッジを交換し、トナー補給扉を閉めてください」の表示がされる。その理由としては、サブホッパ部内およびトナーカートリッジ内のトナーが空になり、更にトナー濃度が下がってプリントを継続することができない状態だからである。
【００６６】
次に、契約形態の切り替えの判断フローについて説明する。
図８は、本発明の実施の形態に従うチャージ契約の判断フローについて説明する図である。当該判断は、主に全体コントローラ３００で判断されるものとする。
【００６７】
図８を参照して、全体コントローラ３００は、契約形態判断日であるかどうかを判断する（ステップＳ３０）。具体的には、上記の契約形態の入力画面において、契約形態判断期間が経過したかどうかを判断する。例えば、入力画面で入力した日から３０日が経過したかどうか判断する。
【００６８】
ステップＳ３０において、全体コントローラ３００は、契約形態判断日であると判断した場合（ステップＳ３０においてＹＥＳ）には、次に、枚数カウンタおよび濃度カウンタを確認する（ステップＳ３２）。
【００６９】
そして、次に、全体コントローラ３００は、枚数カウンタが所定値以上であるかどうかを判断する（ステップＳ３４）。
【００７０】
ステップＳ３４において、全体コントローラ３００は、枚数カウンタが所定値以上であると判断した場合（ステップＳ３４においてＹＥＳ）には、そのまま処理を終了する（エンド）。
【００７１】
一方、ステップＳ３４において、全体コントローラ３００は、枚数カウンタが所定値以上でないと判断した場合（ステップＳ３４においてＮＯ）、すなわち、所定値未満であると判断した場合には、次に、１枚当たりの濃度が所定値以上であるかどうかを判断する（ステップＳ３５）。
【００７２】
ステップＳ３５において、全体コントローラ３００は、１枚当たりの濃度が所定値以上であると判断した場合（ステップＳ３５においてＹＥＳ）には、そのまま処理を終了する（エンド）。
【００７３】
一方、ステップＳ３５において、全体コントローラ３００は、１枚当たりの濃度が所定値以上でないと判断した場合（ステップＳ３５においてＮＯ）には、表示部１０２にキット契約を勧める旨の表示をする（ステップＳ３６）。そして、処理を終了する（エンド）。
【００７４】
一般的に、印刷枚数（消費枚数）が多い場合には、チャージ契約がコスト的に有利であり、逆に、印刷枚数（消費枚数）が少ない場合には、キット契約がコスト的に有利である。一方で、印刷枚数が少ないと判断される場合であっても１枚当たりの濃度値が高い場合には、トナー消費量が多いと判断されるためチャージ契約の方が有利である。
【００７５】
したがって、チャージ契約に設定されている場合においては、枚数カウンタを確認して、枚数カウンタが所定値以上であるか否か、すなわち、所定枚数以上印刷されていると判断した場合には、そのままの契約が有利であるため契約切り替えの案内は表示しない。また、枚数カウンタが所定値未満である場合であってもトナー消費量が多いと判断される場合には、契約切り替えの案内は表示しない。
【００７６】
一方、枚数カウンタが所定値未満であり、かつ、トナー消費量も少ないと判断される場合には、キット契約が有利であるため契約切り替えの案内を表示する。
【００７７】
図９は、本発明の実施の形態に従うキット契約の判断フローについて説明する図である。
【００７８】
図９を参照して、全体コントローラ３００は、契約形態判断日であるかどうかを判断する（ステップＳ４０）。具体的には、上記の契約形態の入力画面において、契約形態判断期間が経過したかどうかを判断する。
【００７９】
ステップＳ４０において、全体コントローラ３００は、契約形態判断日であると判断した場合（ステップＳ４０においてＹＥＳ）には、次に、枚数カウンタおよび濃度カウンタを確認する（ステップＳ４２）。
【００８０】
そして、次に、全体コントローラ３００は、枚数カウンタが所定値以上であるかどうかを判断する（ステップＳ４４）。
【００８１】
ステップＳ４４において、全体コントローラ３００は、枚数カウンタが所定値以上であると判断した場合（ステップＳ４４においてＹＥＳ）には、トナーニアエンプティを表示する際のしきい値を変更する（ステップＳ４８）。具体的には、図６で説明したステップＳ１２におけるトナー量が所定量以下であるか否かの判断における所定量の値を変更する。例えば、一例として所定量の値を大きくする。
【００８２】
そして、全体コントローラ３００は、ステップＳ４８の後、表示部１０２にチャージ契約を勧める旨の表示をする（ステップＳ５０）。そして、処理を終了する（エンド）。
【００８３】
一方、ステップＳ４４において、全体コントローラ３００は、枚数カウンタが所定値以上で無いと判断した場合（ステップＳ４４においてＮＯ）には、次に１枚当たりの濃度が所定値以上であるかどうかを判断する（ステップＳ４６）。
【００８４】
ステップＳ４６において、全体コントローラ３００は、１枚当たりの濃度が所定値以上であると判断した場合（ステップＳ４６においてＹＥＳ）には、ステップＳ４８に進む。そして、上述したのと同様の処理を繰り返す。
【００８５】
一方、ステップＳ４６において、全体コントローラ３００は、１枚当たりの濃度が所定値以上でないと判断した場合（ステップＳ４６においてＮＯ）には、そのまま処理を終了する（エンド）。
【００８６】
上述したように、印刷枚数（消費枚数）が多い場合には、チャージ契約がコスト的に有利であり、逆に、印刷枚数（消費枚数）が少ない場合には、キット契約がコスト的に有利である。
【００８７】
したがって、キット契約に設定されている場合においては、枚数カウンタを確認して、枚数カウンタが所定値以上であるか否か、すなわち、所定枚数以上印刷されていると判断した場合には、チャージ契約が有利であるため契約切り替えの案内を表示する。
【００８８】
また、枚数カウンタが所定値未満である場合であっても濃度カウンタを確認して、１枚当たりの濃度値を判断する。１枚当たりの濃度値が高い場合には、印刷枚数が少ない場合であってもトナー消費量が多いと判断されるためチャージ契約の方が有利である。したがって、この場合にもチャージ契約が有利であるため契約切り替えの案内を表示する。
【００８９】
一方、枚数カウンタが所定値未満であり、かつ、１枚当たりの濃度が所定値未満である場合には、印刷枚数が少なく、かつトナー消費量も少ないと判断される場合には、そのままの契約であるキット契約が有利であるため契約切り替えの案内は表示しない。
【００９０】
そして、本実施の形態においては、キット契約において、枚数カウンタが所定値以上である場合、あるいは、所定値未満である場合であっても１枚当たりの濃度が所定値以上である場合には、トナーニアエンプティを表示する際のしきい値を変更する。なお、トナーエンプティの警告表示の際に初期のしきい値にリセットするものとする。すなわち、トナーニアエンプティを表示する際のしきい値が変更されて所定量の値が大きくなるため、トナーニアエンプティが表示されるタイミングが早くなる。
【００９１】
これにより、キット契約の場合に、チャージ契約が望ましいと判断される場合には、契約切り替えの案内表示からトナー切れのための装置使用不可となるまでの期間を従来よりも長く確保することが可能となる。
【００９２】
したがって、この期間にキット契約からチャージ契約に変更するか否かの判断期間を十分に確保することが可能となる。キット契約の場合には、トナーカートリッジを発注してそして受け取るまでの間にある程度の期間が必要であり、その期間を考慮して発注しなければならず、従来では、トナーニアエンプティが表示された場合に、装置の使用状況によってはすぐに発注しなければならず、キット契約からチャージ契約への契約形態の切り替えの判断が難しい状況が生じていたが、本願の実施の形態ではその検討期間が確保されるため適切な判断を下すことが可能となる。
【００９３】
なお、本発明にかかる画像形成装置は、ＭＦＰに限定されない。なお、コンピュータ（ＣＰＵ）を機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９４】
なお、プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９６】
提供されるプログラム製品は、ハードディスクなどのプログラム格納部にインストールされて実行される。なお、プログラム製品は、プログラム自体と、プログラムが記録された記録媒体とを含む。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９８】
１  画像形成装置、２  感光体、４  クリーニング装置、５  トナーカートリッジ、６  露光装置、７  サブホッパ部、８  トナー供給部、３０，３２，３４，３６  現像部、３８  トナー濃度検出センサ、４０  定着部、１０１  操作パネル、１０２  表示部、３００  全体コントローラ、３０２  エンジンコントローラ、３０４  モータ駆動回路、３０６  カートリッジモータ、３０８  トナーエンプティセンサ、３１２  画像処理部、３１４  スキャナ部、３１６  操作部、３２０  濃度カウンタ、３２２  枚数カウンタ。
【図１】
2012088552.tif 000003
【図２】
2012088552.tif 000004
【図３】
2012088552.tif 000005
【図４】
2012088552.tif 000006
【図５】
2012088552.tif 000007
【図６】
2012088552.tif 000008
【図７】
2012088552.tif 000009
【図８】
2012088552.tif 000010
【図９】
2012088552.tif 000011